(57)【要約】      （修正有）【課題】モンキーレンチはナット押さえの幅を調節出来て便利だが、締めたり緩めたりする時、ナット押さえ部を一々はずさなければならない時があり、不便であった。【解決手段】モンキーレンチをドライバーの先端に縦に取り付けた形状にし、ドライバーを回転させるのと同じように回せるようにする。通常、モンキーを使用する時、多くの場合、柄の部分を半回転させた後、一度ナット押さえ部をナットから外して、元の柄の角度になるようにセットし直さなくてはならないが、このモンキードライバーならその必要がなく効率よく回転できる。最初は、ラチェット部で回転させ、緩くなったら回転アシストのチャックの羽部に指を掛けて回転させると効率が良い。横回転させるような場合、即ち従来的な形での絞め緩めしか出来ない場合は、モンキードライバ−部分を回転アシストのチャックから外せば、通常モンキーとしても使用可能である。【選択図】図２
2011020251.tif 000002
【特許請求の範囲】
【請求項１】
最上部にハンドルがあり、そのハンドルには、回転可能な形で軸が接続され、その軸にはチャックが固定されている。
チャックはＵ字型の金具２個を十字型に下向きに接続し、４本の外側に張り出した羽部がある形状になっている。その４本のその羽の端末は内側に向けてバネ状になっていて、そのバネの力と根元部分にあるソケット部分とでモンキードライバーを保持している。
チャック部が回転するとそれに固定されているモンキードライバーも回転し、ナットを締め緩めする。
もっと強い力が必要な時及びその名の通りのラチェット機能を使用する時チャックのすぐ上のラチェットハンドルも使用できる上記構造、構成のモンキードライバー。
【請求項２】
手動ドライバーのようなドリル回転ができるよう、手動ドライバーで使用する形状の柄の先端に取り付けられ、ドリル回転でナットを締め緩めでき、横に寝かせて使用すれば通常のモンキーレンチとして使用できるモンキーレンチチャック部のあるモンキードライバー。
【請求項３】
チャックを開閉させるネジ部は真ん中を境にしてネジが反対に切ってあることにより、真ん中にある摘まみ部を回転させると、２本あるナット押さえ部が同時に開いたり、同時に閉まったりと、迅速な開閉及び左右対称の開閉を可能にしているチャック構造。
【請求項４】
チャックのネジ押さえ部は全体的に平らに加工しているが、中央部は四角あるいは三角の溝を切った形状になっている。
その為、ナットの平らな面を銜える場合、ネジ押さえ部の平らな部分で銜え、ナットの山部分で銜えたい時はナットの山の部分をネジの溝部にはめ込むことが出来るモンキードライバー。
【発明の詳細な説明】
【技術分野】
【０００１】工具分野、ドライバー型モンキーレンチ。
【背景技術】特許願い０２４の回転アシスト付きドライバーに、モンキーレンチを接続しました。
【発明の開示】
【発明が解決しようとする課題】
【０００２】モンキーレンチはナットの大きさに合わせて幅を調節出来て便利ですが、締めたり緩めたりする時、ナット押さえ部を一々はずさざるをえない場合いもあり、そういう時には不便です。
締めるナットのある位置に十分なスペースがあれば良いですが、大体、片側は空いていても反対側は壁だったり、折り返しや金具があることが多く、その場合は、一旦ナットからチャック部分をはずして、元の角度になる位置まで戻してセットし直し、そして又、柄の部分を半回転するという事を繰り返さなくてはならず、効率が悪く疲れます。
【課題を解決するための手段】
【０００３】ナットを横から押さえているモンキーレンチを、ナットの押さえ部を基点として９０度回転させて立ち上げ、ナット部を上から摘むような体制にし、そのまま柄の部分をドライバーのように回転させることができるようにします。
モンキーレンチの柄の部分は、通常曲がっていますので、上記のように柄の部分を立ち上げても真っ直ぐにならないので、真っ直ぐに立つよう、モンキーのチャック部分を左右対称の形状にし、柄はモンキーのチャックのエンド部分から真っ直ぐ伸ばすようにします。
こうすれば、上記のように柄の部分を立ち上げた時、柄の部分はナットに対し左右対称で、直角になりますので、柄の部分を回転させてナットを締める事が出来ます。
その時、柄の部分がドライバーのようになっていた方が回転させやすい訳ですが、そのままでは負荷が強すぎて回転できません。
回転をアシストする回転アシストドライバーに接続し回転が楽にできるようにし、更にラチェットを接続し、更なる硬い締め付け、（あるいは緩め）もできるようにします。
又、回転アシストからドライバーをはずせば、通常のモンキーレンチとして使用することもできるようにします。
【発明を実施する為の最良の形態】
【０００４】図２のＡはハンドルです。
Ｂは主軸、Ｃは回転アシストチャックで、Ｂの主軸はハンドルＡ２の所で回転可能に接続され、この主軸に固定されたモンキードライバーを保持したＣのチャックはこのハンドル下で回転します。
【０００５】Ｃの回転アシストチャックは、Ｃ１、及びＣ２でモンキードライバーＧを保持します。チャックの羽の部分Ｃ３は、モンキードライバーの軸Ｇよりも大きいので、この羽部分を手の平内に収めて回転させれば楽に回転できますし、指が掛けやすくなっていますので、指に引っ掛けて回転させることができます。
回転動作なので、効率の良い作業が出来ます。
【０００６】Ｄはラチェットハンドルです。
この部分を利用すれば、ラチェット機能はもちろん、回転アシストチャックよりも大きな力が必要な時（締め緩め時）に使用できます。
【０００７】Ｅはモンキーチャック部です。
Ｅ１ａＥ１ｂは、ナット押さえ金具で、Ｅ２の部分でナットを押さえます。
Ｅ３は開閉用ネジでＥ１ａＥ１ｂの開閉に使用し、Ｅ４が摘まみ部分になっています。Ｅ５Ｅ６の部分のネジはねじ切り方向が相反しているため、Ｅ４の摘まみを回転させると、Ｅ１ａＥ１ｂが同時に閉まったり、開いたりします。
Ｅ７はネジ保持金具で、Ｅ８はＥ１保持部であり、スライド部です。
Ｅ４の摘まみを回転させると、この部分で保持されながら、Ｅ１ａＥ１ｂは開閉します。
図２の左図はモンキーチャックを閉じた時で、右側は開いた時です。
図５は小型モンキーの参考図で、小さなナット用です。
図６は摘まみネジ部を細くすることにより、通常タイプでも、スマートな形状で広い開口部のある例です。
【０００８】モンキードライバーの軸ＧはＣの回転アシストチャックからとりはずし可能です。とりはずせば、軸Ｇを図４のＨ方向に回転させることにより通常のモンキーレンチとして使用できます。
【０００９】図３のＪはモンキー先端のナット押さえ部です。中央に溝部を作りました。
この溝にナットの山を噛ませればナットの保持が確実になります。
【発明の効果】
モンキーレンチはナット押さえ部の幅を調節出来て便利ですが、すぐ後ろが壁だったりした場合は、ナット押さえ部からチャック部分を一々はずさなければならず不便です。
こんな時、あるいは効率よく回転させるにはドライバーの先端にチャックを付けてドライバー回転ができれば、一々ナット押さえ部をはずす必要がなく便利ですが、回転アシストドライバーに接続すれば、それは可能になります。
ラチェット機能も使用できますし、はずして使用すれば通常のモンキーレンチとしても使用できるなど、多彩な使用方法が選択、様々な処理ができます。
【図面の簡単な説明】
【００１０】
【図１】モンキードライバ−立体図
【図２】モンキードライバ−全体横からの図及び開いた時の図
【図３】チャック部３角図
【図４】モンキードライバー部分図
【図５】チャックの小さいモンキードライバー図
【図６】モンキースマートなチャック図
【符号の説明】Ａはハンドル、Ｂは主軸、Ｃは回転アシストチャック、Ａ２はハンドル軸留め金具、Ｃ１、及びＣ２はモンキードライバーＧ保持部、Ｄはラチェットハンドル、Ｅはモンキーチャック部、Ｅ１ａＥ１ｂはナット押さえ金具、Ｅ２はナット押さえ部、Ｅ３は開閉用ネジ、Ｅ４が摘まみ部分、Ｅ５Ｅ６はネジ溝部、Ｅ８はＥ１ａＥ１ｂ保持部、Ｇはモンキードライバーの柄の部分、Ｊはモンキーレンチ先端の溝部。
【図１】
2011020251.tif 000003
【図２】
2011020251.tif 000004
【図３】
2011020251.tif 000005
【図４】
2011020251.tif 000006
【図５】
2011020251.tif 000007
【図６】
2011020251.tif 000008